(57)【特許請求の範囲】
【請求項１】
固定接点を有する固定子と、
可動接点を有する可動子と、
回転部材を有し、前記回転部材の回転に伴って前記可動子を移動させて前記固定接点と前記可動接点との接触および隔離を行う伝達部と、
シャフトを有し、前記シャフトを直線状に移動させる電磁操作機構部と、
前記伝達部と前記シャフトとを連結し、前記シャフトの移動に伴い前記回転部材を回転させる連結部と、
前記回転部材に前記固定接点から前記可動接点を隔離する回転方向へ力を加える付勢部材と、
前記付勢部材の力によって前記シャフトが前記シャフトの移動方向に対して第１の方向に傾斜した状態において、前記連結部のうち前記シャフトに連結される連結ピンの少なくとも一部と前記回転部材の軸方向で対向して前記少なくとも一部を覆うフレームと、を備え、
前記フレームは、
前記シャフトが前記移動方向に対して前記第１の方向とは逆方向の第２の方向に傾斜された状態で、前記軸方向から見て前記連結ピンの全体が露出する位置に開口を備える
ことを特徴とする遮断器。
【請求項２】
前記フレームは、前記シャフトが前記移動方向に対して傾斜していない状態において、前記連結ピンの少なくとも一部を覆う
ことを特徴とする請求項１に記載の遮断器。
【請求項３】
前記回転部材は、
軸心回りに回転するプレート部材であり、
前記伝達部は、
一端部に前記可動子が連結され、前記プレート部材に回転可能に他端部が連結されたアーム部材と、を備え、
前記付勢部材は、
前記フレームと前記プレート部材とに架設されたばね部材であり、
前記連結部は、
前記プレート部材と前記シャフトとを連結する
ことを特徴とする請求項１または２に記載の遮断器。
【発明の詳細な説明】
【技術分野】
【０００１】
本発明は、固定接点および可動接点を有し、固定接点へ可動接点を接触させる投入操作または固定接点から可動接点を離す引外し操作のための電磁操作機構部を備える遮断器に関する。
【背景技術】
【０００２】
従来、電路の開閉を行う遮断器として、ばね操作式の遮断器と電磁操作式の遮断器とが知られている。ばね操作式の遮断器は、特許文献１に記載されているように、蓄勢されたばねの力が開放された時に放出されるエネルギーを利用して、可動接点の投入操作および引外し操作を行う。【０００３】
また、電磁操作式の遮断器は、特許文献２に記載されているように、固定接点に対向する可動接点に伝達部を介して連結される電磁操作機構部を備え、電磁操作機構部からの駆動力を伝達部に伝達させて可動接点の投入操作および引外し操作を行う。
【先行技術文献】
【特許文献】
【０００４】
【特許文献１】特開平６−８９６５０号公報
【特許文献２】特開２００８−１５９２７０号公報
【発明の概要】
【発明が解決しようとする課題】
【０００５】
遮断器は、一般にビル、工場などの主幹用遮断器として使用されることが多く、万が一故障した場合には短時間での復旧が要求される。そのため、故障した遮断器の全体を交換することもあるが、予備の遮断器を置くスペースがなく交換用の遮断器がない場合、通電が長時間止まってしまう。そこで、遮断器内の故障した部品のみ交換して修復することがある。【０００６】
ばね操作式の遮断器は、投入動作において荷重が大きいばねを利用しており、遮断器が常に大きな荷重がかかった状態であることから、遮断器内の部品を交換する作業は容易ではない。【０００７】
電磁操作式の遮断器は、電磁コイルのエネルギーを利用するため、ばね操作式の遮断器のような投入ばねが存在しない。しかしながら、例えば、電磁操作機構部が破損した場合、電磁操作機構部を伝達部と連結する連結部がフレーム内にあり、電磁操作機構部と伝達部とを分離することが難しく、電磁操作機構部または電磁操作機構部に関連する部分の交換作業が容易ではなかった。【０００８】
本発明は、上記に鑑みてなされたものであって、電磁操作機構部または電磁操作機構部に関連する部分の交換作業を容易に行うことができる遮断器を得ることを目的とする。
【課題を解決するための手段】
【０００９】
上述した課題を解決し、目的を達成するために、本発明の遮断器は、固定接点を有する固定子と、可動接点を有する可動子と、伝達部と、電磁操作機構部と、連結部と、付勢部材と、フレームとを備える。伝達部は、回転部材を有し、回転部材の回転に伴って可動子を移動させて固定接点と可動接点との接触および隔離を行う。電磁操作機構部は、シャフトを有し、シャフトを直線状に移動させる。連結部は、伝達部とシャフトとを連結し、シャフトの移動に伴い回転部材を回転させる。付勢部材は、回転部材に固定接点から可動接点を隔離する回転方向へ力を加える。フレームは、付勢部材の力によってシャフトがシャフトの移動方向に対して第１の方向に傾斜した状態において、連結部のうちシャフトに連結される連結ピンの少なくとも一部と回転部材の軸方向で対向して連結ピンの少なくとも一部を覆う。フレームは、シャフトが移動方向に対して第１の方向とは逆方向の第２の方向に傾斜された状態で、回転部材の軸方向から見て連結ピンの全体が露出する位置に開口を備える。
【発明の効果】
【００１０】
本発明によれば、電磁操作機構部または電磁操作機構部に関連する部分の交換作業を容易に行うことができる、という効果を奏する。
【図面の簡単な説明】
【００１１】
【図１】実施の形態１にかかる遮断器の構成例を示す図
【図２】実施の形態１にかかる遮断器の筐体内の構成を示す図
【図３】実施の形態１にかかる電磁操作機構部の上部を拡大した図
【図４】実施の形態１にかかる電磁操作機構部、連結部、および機械操作機構部の拡大図
【図５】実施の形態１にかかる遮断器の投入完了状態を示す図
【図６】実施の形態１にかかる電磁操作機構部または機械操作機構部を交換する方法についての説明図
【図７】実施の形態１にかかる駆動シャフトの下方への移動を規制する構成の他の例を示す図
【図８】実施の形態１にかかる駆動シャフトの下方への移動を規制する構成の他の例を示す図
【図９】実施の形態１にかかる電磁操作機構部または機械操作機構部を交換する方法についての説明図
【図１０】実施の形態１にかかる電磁操作機構部または機械操作機構部を交換する方法についての説明図
【図１１】実施の形態１にかかるフレーム、連結ピン、連結リンク、および軸受部の関係を示す側面図
【図１２】実施の形態１にかかる電磁操作機構部または機械操作機構部を交換する方法についての説明図
【発明を実施するための形態】
【００１２】
以下に、本発明の実施の形態にかかる遮断器を図面に基づいて詳細に説明する。なお、この実施の形態によりこの発明が限定されるものではない。
【００１３】
実施の形態１．
図１は、実施の形態１にかかる遮断器の構成例を示す図である。実施の形態１にかかる遮断器は、例えば、低電圧配電線などの電路を開閉する遮断器である。なお、以下においては、説明の便宜上、Ｚ軸正方向を上方向とし、Ｚ軸負方向を下方向とし、Ｘ軸正方向を右方向とし、Ｘ軸負方向を左方向とし、Ｙ軸正方向を前方向とし、Ｙ軸負方向を後方向とする。
【００１４】
図１に示すように、実施の形態１にかかる遮断器１は、絶縁部材で形成された筐体２と、不図示の電源側導体に接続される電源側固定導体１０と、不図示の負荷側導体に接続される負荷側固定導体２０と、可動接点３０ａを有する可動子３０と、負荷側固定導体２０と可動子３０とを電気的に接続し可撓性を有する可撓導体４０とを備える。
【００１５】
筐体２の内部には、絶縁壁３で仕切られた空間部４，５が形成される。電源側固定導体１０は、筐体２の外部から空間部４にかけて延伸し筐体２の壁部６を貫通する。電源側固定導体１０の一端部１０１は、外部に突出して不図示の電源側導体に接続され、電源側固定導体１０の他端部１０２は、空間部４に配置され、固定接点１０ａが固定される。
【００１６】
負荷側固定導体２０は、電源側固定導体１０と同様に、筐体２の外部から空間部４にかけて延伸し筐体２の壁部６を貫通する。負荷側固定導体２０の一端部２０１は、外部に突出して不図示の負荷側導体に接続され、負荷側固定導体２０の他端部２０２は、空間部４に配置される。
【００１７】
可動子３０の一端部３０１には、可動接点３０ａが設けられており、可動子３０の他端部３０２は、可撓導体４０の一端部４０１に固定される。可撓導体４０の他端部４０２は、負荷側固定導体２０の他端部２０２に固定される。
【００１８】
また、遮断器１は、負荷側固定導体２０の他端部２０２に回転可能に取り付けられたホルダー５０と、ホルダー５０によって保持された接圧ばね５１と、ホルダー５０に回転可能に保持された可動子ピン５２とを備える。接圧ばね５１は、可動子ピン５２を中心として可動子３０を時計方向に回転させる方向に付勢し、可動子３０に設けられた可動接点３０ａが固定接点１０ａに接続されたときに固定接点１０ａと可動接点３０ａとの間に接触圧力を与える。
【００１９】
遮断器１は、可動子３０に連結された伝達部６０と、伝達部６０を介して可動子３０を移動させる電磁操作機構部７０と、伝達部６０と電磁操作機構部７０とを連結する連結部８０と、遮断器１における投入完了状態の維持および投入完了状態の解除を行う機械操作機構部９０とを備える。なお、伝達部６０は、空間部４と空間部５とに跨って配置され、電磁操作機構部７０、連結部８０、および機械操作機構部９０は、空間部５に配置される。また、空間部５には、少なくとも一部が電磁操作機構部７０の下方に位置し筐体２に固定された載置台７が配置される。載置台７は、例えば、棚、フレーム、またはケースによって構成される。
【００２０】
ここで、投入状態とは、固定接点１０ａと可動接点３０ａとが接触している状態であり、投入動作または投入操作とは、可動接点３０ａを移動させて固定接点１０ａに接触させる動作または操作を示す。引外し動作または引外し操作は、可動接点３０ａを固定接点１０ａから離す動作または操作を示す。
【００２１】
図２は、実施の形態１にかかる遮断器１の筐体２内の構成を示す図であり、図３は、図２に示す電磁操作機構部７０の上部を拡大した図であり、図４は、図２に示す電磁操作機構部７０、連結部８０、および機械操作機構部９０の拡大図である。
【００２２】
図２に示すように、伝達部６０は、一端部６１１が可動子ピン５２によって可動子３０と回転可能に連結される操作アーム６１と、一端部６２１が操作アーム６１の他端部６１２にリンクピン６３によって回転可能に連結された回転部材の一例である連結プレート６２と、連結プレート６２の中央部に固定され、軸心６５を中心に回転するシャフト６４とを備える。
【００２３】
電磁操作機構部７０は、連結プレート６２の下方に配置されている。なお、電磁操作機構部７０と絶縁壁３とは不図示の固定部によって固定される。
【００２４】
電磁操作機構部７０は、図２に示すように、磁性体で形成されたヨーク７１と、ヨーク７１の内側に固定されたコイル７２と、上下方向に直線状に往復移動可能な可動鉄心７３と、可動鉄心７３に固定された駆動シャフト７４と、駆動シャフト７４を上下方向に直線状に往復移動可能にガイドする軸受部７５とを備える。駆動シャフト７４は、軸心６５から左方向に間隔を空けた位置で上下方向に往復移動する。なお、可動鉄心７３と駆動シャフト７４とは固定されていればよく、可動鉄心７３と駆動シャフト７４との固定方法は問わない。
【００２５】
図３に示すように、駆動シャフト７４は、隙間７６を介してヨーク７１の内側および軸受部７５の内側に配置されている。駆動シャフト７４は、コイル７２への通電によって隙間７６を一定に維持した状態でヨーク７１および軸受部７５の内側を上下方向に移動する。
【００２６】
伝達部６０と電磁操作機構部７０とを連結する連結部８０は、図４に示すように、連結ピン８１，８２と、連結リンク８３とを備える。連結リンク８３の一方の連結穴８４は、駆動シャフト７４の先端部に形成された図３に示す連結穴７７に連結ピン８１によって軸架される。連結リンク８３の他方の連結穴８５は、連結プレート６２の中途部に形成された不図示の連結穴に連結ピン８２によって軸架される。
【００２７】
図４に示すように、機械操作機構部９０は、筐体２に固定されたフレーム９１と、フレーム９１と連結プレート６２との間に架設される開極ばね９２と、フレーム９１に回転可能に軸支されたトリップバー９３と、Ｌ字状に形成されるラッチ９４とを備える。
【００２８】
フレーム９１は、不図示の固定部材によって絶縁壁３に連結される。フレーム９１を絶縁壁３に固定する固定部材は、例えば、ピンのカシメなどの固定手段である。フレーム９１は、連結プレート６２の軸方向である軸心６５の延伸方向から見て伝達部６０の一部および連結部８０の少なくとも一部と対向し、伝達部６０の一部および連結部８０の少なくとも一部を覆う。なお、図４に示す状態では、フレーム９１のうち後方側の壁部９１ａが示されているが、フレーム９１は後方側の壁部９１ａと同様に伝達部６０の一部および連結部８０の少なくとも一部を覆う壁部が前方側にも設けられる。
【００２９】
フレーム９１には、伝達部６０と電磁操作機構部７０との連結を作業者によって解除するための開口９７が設けられている。図４に示す開口９７は、フレーム９１を筐体２から取り外すことなく連結ピン８１を取り外すことができるように、連結ピン８１の付近に形成されている。なお、開口９７および連結ピン８１との関係については後で詳述する。
【００３０】
開極ばね９２の一端部９２１は、連結ピン９５によって保持され、連結ピン９５は連結プレート６２に形成された不図示の連結穴に差し込まれる。また、開極ばね９２の他端部９２２は、連結ピン９６によって保持され、連結ピン９６は、フレーム９１に形成された不図示の連結穴に差し込まれる。これにより、開極ばね９２が、フレーム９１と連結プレート６２との間に架設された状態になる。
【００３１】
開極ばね９２が、フレーム９１と連結プレート６２との間に架設された状態において、開極ばね９２は、連結プレート６２がシャフト６４の軸心６５を中心に時計方向へ回転された場合にエネルギーが蓄積される引張りばねである。開極ばね９２は、連結プレート６２に軸心６５を中心に反時計方向への力を与える。
【００３２】
トリップバー９３の屈曲部には前後方向に延伸するシャフト９９が固定されており、シャフト９９は、フレーム９１に設けられた不図示の回転穴に回転可能に差し込まれる。図４に示すようにラッチ９４は、半円状に形成された半円部９８を有しており、後述するように、遮断器１が投入完了状態にある場合に、ラッチ９４における半円部９８の円弧部分によってトリップバー９３が係止される。
【００３３】
図１に示す状態では、固定接点１０ａと可動接点３０ａとは離隔しており、遮断器１は、引外し状態である。図１に示す状態から投入操作が行われる場合における遮断器１の動作を説明する。図５は、投入完了状態である場合の遮断器１を示す図である。
【００３４】
図１に示す引外し状態から、電磁操作機構部７０のコイル７２への通電によって、可動鉄心７３が上方へ移動する場合、可動鉄心７３の上方への移動に伴って可動鉄心７３に固定された駆動シャフト７４も上方へ移動する。
【００３５】
駆動シャフト７４が上方へ移動した場合、駆動シャフト７４に連結部８０によって連結された連結プレート６２が連結部８０を介して駆動されて軸心６５を中心に時計方向に回転する。シャフト６４が時計方向に回転することで、図５に示すように、連結プレート６２と操作アーム６１とが駆動され、連結プレート６２と操作アーム６１とが直線状に配置された状態となる。
【００３６】
これにより、可動子３０が右方向に移動し、可動接点３０ａが固定接点１０ａに接触する。そして、接圧ばね５１によって固定接点１０ａと可動接点３０ａとの間に接触圧力が与えられ、投入完了状態が維持される。投入完了状態において、電源側固定導体１０は、固定接点１０ａ、可動接点３０ａ、可動子３０、および可撓導体４０を介して、負荷側固定導体２０と電気的に接続される。
【００３７】
また、連結プレート６２が軸心６５を中心として時計方向に回転すると、連結プレート６２の係合部６６は、ラッチ９４を反時計方向に移動させる。そして、ラッチ９４がトリップバー９３の半円部９８に係合し、投入完了位置でラッチ９４がトリップバー９３に保持される。なお、ラッチ９４およびトリップバー９３は、機械的な開路動作を実行できるようにばね力にて付勢されている。
【００３８】
図５に示す投入完了状態から可動接点３０ａを固定接点１０ａから離間させる引外し操作が行われる場合における遮断器１の動作を説明する。図５に示す投入完了状態において、開極ばね９２は、蓄勢されており、連結プレート６２をシャフト６４の軸心６５を中心に反時計方向に回転する方向に力を加えている状態である。
【００３９】
トリップバー９３が時計回りに回転すると、トリップバー９３とラッチ９４との係合が外れる。そのため、開極ばね９２によって連結プレート６２が反時計方向に回転し、連結プレート６２の反時計方向への回転に伴って操作アーム６１の他端部６１２が上方へ移動する。
【００４０】
操作アーム６１の他端部６１２が上方へ移動すると、操作アーム６１の一端部６１１が左方向に移動する。そのため、可動子３０が左方向に移動し、可動接点３０ａが固定接点１０ａから離れる。これによって、遮断器１は、電源側固定導体１０と負荷側固定導体２０とを含む電路が遮断される。
【００４１】
次に、電磁操作機構部７０または機械操作機構部９０を交換する方法について、説明する。図６，図９，図１０および図１２は、電磁操作機構部７０または機械操作機構部９０を交換する方法についての説明図であり、図７および図８は、駆動シャフト７４の下方への移動を規制する構成の他の例を示す図であり、図１１は、フレーム９１、連結ピン８１、連結リンク８３、および軸受部７５の関係を示す側面図である。
【００４２】
遮断器１が投入完了状態である場合、図５に示すように、連結プレート６２の他端部６２２に形成された係合部６６がトリップバー９３に係合しており、トリップバー９３はラッチ９４によって回転が規制されている状態である。そのため、電磁操作機構部７０のコイル７２に電流を流さない状態でも、図５に示す投入完了状態が維持される。
【００４３】
電磁操作機構部７０によって駆動シャフト７４が駆動されていない状態である場合に、図６に示すように、駆動シャフト７４の下方に一時的に係止ブロック７８を設置し、可動鉄心７３に係止ブロック７８を接触させることによって駆動シャフト７４の下方への移動を規制する。そして、駆動シャフト７４の下方への移動が規制された状態で、トリップバー９３とラッチ９４との係合を外す。
【００４４】
電磁操作機構部７０によって駆動シャフト７４が駆動されていない状態で、連結プレート６２に反時計方向の力が加わると、連結部８０を介して駆動シャフト７４に、駆動シャフト７４の移動方向である上下方向に交差する方向に力が働く。駆動シャフト７４と軸受部７５との間には図３に示すように隙間７６が形成されているため、駆動シャフト７４の左側が軸受部７５に押付けられた場合、駆動シャフト７４は、上下方向に対して左方向に傾斜した状態になる。
【００４５】
ここで、上述した係止ブロック７８の設置は、作業者が係止ブロック７８を載置台７に載置することで行うが、係止ブロック７８を可動鉄心７３の下方に配置されるように遮断器１が構成されていればよく、係止ブロック７８の設置は上述した例に限定されない。
【００４６】
例えば、遮断器１は、可動鉄心７３の下方に配置されるように係止ブロック７８を自動で配置する構成であってもよい。具体的には、図７に示すように、遮断器１は、係止ブロック７８を昇降させる昇降機構７９を有する構成であってもよい。この場合、昇降機構７９は、不図示の操作ボタンが作業者によって操作された場合に、係止ブロック７８を上方に移動させ、駆動シャフト７４の下方への移動を規制する。なお、昇降機構７９は、電磁操作機構部７０のコイル７２に通電していない場合のみ、係止ブロック７８を上方に移動させる構成であってもよい。
【００４７】
また、遮断器１は、昇降機構７９に代えて、係止ブロック７８を左右方向または上下方向へ移動させることで、係止ブロック７８を可動鉄心７３の下方へ移動させ、駆動シャフト７４の下方への移動を規制する構成であってもよい。
【００４８】
また、上述した例では、係止ブロック７８によって駆動シャフト７４の下方への移動を規制するが、係止ブロック７８に代えて他の係止部材によって駆動シャフト７４の下方への移動を規制してもよい。例えば、図８に示す電磁操作機構部７０では、ヨーク７１に複数の貫通孔８が設けられており、複数の貫通孔８に係止部材９が挿入される。この状態では、係止部材９の上下方向の移動が規制され、かつ、係止部材９の上方に駆動シャフト７４が位置する。そのため、図８に示すように、可動鉄心７３が係止部材９に接触して駆動シャフト７４の下方への移動が係止部材９によって規制される。
【００４９】
なお、図８に示す例では、ヨーク７１に貫通孔８を設けたが、図６に示すヨーク７１の下側に貫通孔８を有する部材を固定し、ヨーク７１に固定された部材の貫通孔８に係止部材９を挿入することで、図８に示す例と同様に、駆動シャフト７４の下方への移動を規制するようにしてもよい。
【００５０】
図９に示すように、駆動シャフト７４の左側が軸受部７５に押付けられている場合、フレーム９１に形成された開口９７から連結ピン８１の一部のみが連結プレート６２の軸方向であるＹ軸方向から見て露出している状態である。図９に示す状態において、駆動シャフト７４を工具または手で右方向へ押圧することで、図１０に示すように、駆動シャフト７４は、左側が軸受部７５に押付けられた状態から、右側が軸受部７５に押付けられた状態になる。
【００５１】
図１０に示す状態では、駆動シャフト７４の右側が軸受部７５に押付けられて、駆動シャフト７４は、上下方向に対して右方向に傾斜しており、フレーム９１に形成された開口９７から連結ピン８１の全体が連結プレート６２の軸方向から見て露出している状態である。そのため、連結ピン８１を工具または手で前後方向であるＹ軸方向に引っ張るまたは押圧することで、連結ピン８１を簡単に遮断器１から取り外すことができる。
【００５２】
そして、連結ピン８１を取り外すことによって、伝達部６０と電磁操作機構部７０とを分離することができ、電磁操作機構部７０を安全に交換することができる。また、伝達部６０と電磁操作機構部７０とを分離することができるため、機械操作機構部９０に電磁操作機構部７０からの力が働かない状態になるため、機械操作機構部９０などの電磁操作機構部７０に関連する部分を安全に交換することもできる。
【００５３】
また、フレーム９１の開口９７は、遮断器１が引外し状態である場合、図４に示すように、連結プレート６２の軸方向から見て開口９７から連結ピン８１の一部のみが露出している状態である。そして、電磁操作機構部７０は、コイル７２へ電流が供給されている状態では、駆動シャフト７４は上下方向に延伸した状態を保つ。
【００５４】
そのため、コイル７２への電流供給によって、図４に示す引外し状態から図５に示す投入完了状態になるまでの間、駆動シャフト７４は、連結プレート６２の軸方向から見て開口９７から連結ピン８１の一部のみが露出した状態のまま、上下方向に移動する。
【００５５】
すなわち、遮断器１は、引外し状態から投入完了状態になるまでの間、連結プレート６２の軸方向から見て開口９７から連結ピン８１の全部が露出した状態にならない。したがって、引外し状態から投入完了状態になるまでの間、連結ピン８１を取り外すことができない。
【００５６】
そして、Ｙ軸方向におけるフレーム９１と連結ピン８１との間隔は、連結ピン８１が連結リンク８３と駆動シャフト７４との連結が解除されない長さに設定される。例えば、図１１に示すように、連結ピン８１とフレーム９１との間隔Ｄ１が、連結穴７７の深さＤ２よりも短く設定される。
【００５７】
これにより、連結ピン８１に連結ピン８１の脱落を防止する留め輪を取り付けない場合であっても、駆動シャフト７４から連結ピン８１が開閉動作中に脱落することを防止することができ、遮断器１が不動作になることを防止することができる。なお、駆動シャフト７４と連結リンク８３との一方から連結ピン８１が脱落しないように、連結ピン８１とフレーム９１との間隔Ｄ１が設定されていればよく、駆動シャフト７４と連結ピン８１との連結関係は図１１に示す例に限定されるものではない。
【００５８】
連結ピン８１に留め輪を取り付けて連結ピン８１を留め輪で保持する場合、電磁操作機構部７０などの交換作業時に専用工具が必要であり、またフレーム９１内のスペースが小さいため留め輪の取り外しおよび取り付けが容易ではない場合がある。一方、連結ピン８１に留め輪を取り付けない場合であっても、駆動シャフト７４から連結ピン８１が開閉動作中に脱落することを防止することができ、電磁操作機構部７０などの交換作業を容易にすることができる。
【００５９】
また、遮断器１が引外し状態である場合、図４に示すように、フレーム９１に形成された開口９７から連結ピン８１の一部のみが連結プレート６２の軸方向から見て露出している状態である。また、図４に示す状態では、連結ピン９５がフレーム９１に係止された状態になり、連結プレート６２には、開極ばね９２によって反時計方向に力が働いていない。
【００６０】
したがって、図４に示す状態では駆動シャフト７４には左右方向に力が働いていない。図４に示す状態から、駆動シャフト７４を工具または手で右方向へ押圧することで、図１２に示すように、連結ピン８１の全体をフレーム９１から露出した状態にすることができる。これにより、連結ピン８１を取り外すことができる。
【００６１】
なお、遮断器１は、電磁操作機構部７０によって駆動シャフト７４が駆動されている場合、駆動シャフト７４は上下方向に沿って移動し、駆動シャフト７４が上下方向に対して傾かない構成に限定されない。すなわち、遮断器１は、電磁操作機構部７０によって駆動シャフト７４が駆動されている状態において、開極ばね９２の力によって駆動シャフト７４を上下方向に対して左方向に傾斜した状態になる構成であってもよい。この場合、駆動シャフト７４が上下方向に対して傾かない場合に連結プレート６２の軸方向から見て連結ピン８１全体が開口９７から露出するようにフレーム９１の開口９７が形成されてもよい。
【００６２】
また、上述では、ばね部材である開極ばね９２の力によって駆動シャフト７４を上下方向に対して左方向に傾斜させたが、ばね部材以外の付勢部材によって、駆動シャフト７４に左方向への力を加えることもできる。開極ばね９２以外の付勢部材は、例えば、ゴムなどの弾性部材である。
【００６３】
また、上述では、連結ピン８１，８２および連結リンク８３によって、伝達部６０と電磁操作機構部７０とを連結したが、連結部８０の構成は上述した例に限定されない。例えば、遮断器１は、複数の連結リンクを含む連結部８０によって伝達部６０と電磁操作機構部７０とを連結する構成であってもよい。この場合、複数の連結リンクの少なくとも１つの連結ピンと開口９７とが、上述した連結ピン８１と開口９７との関係になるように開口９７が形成される。また、複数の連結ピンと開口９７との関係が連結ピン８１と開口９７との関係になるように開口９７を形成してもよい。
【００６４】
また、上述した遮断器１は、シャフト６４が連結プレート６２に固定されるが、遮断器１は、シャフト６４がフレーム９１に固定され、シャフト６４に連結プレート６２が軸心６５を中心として回転可能に取り付けられる構成であってもよい。
【００６５】
また、伝達部６０は、上述した構成に限定されない。例えば、伝達部６０は、軸心６５を中心として回転する１つの回転部材の先端部に可動子３０が連結される構成であってもよい。例えば、遮断器１は、連結プレート６２を設けずに、操作アーム６１の他端部６１２をシャフト６４に軸心６５を中心として回転可能に取り付けられる構成であってもよい。また、伝達部６０は、操作アーム６１と連結プレート６２との間に１つ以上のリンク部材を有する構成であってもよい。
【００６６】
また、上述した遮断器１は、操作アーム６１と可動子３０とが直接連結された構成であるが、操作アーム６１と可動子３０との間に１つ以上の部材を介在させて操作アーム６１と可動子３０とを間接的に連結する構成であってもよい。
【００６７】
また、上述した遮断器１は、開極ばね９２の力によって連結プレート６２が上下方向に対して左方向に傾斜する構成であるが、開極ばね９２の力によって傾斜させる方向は左方向に限定されず右方向であってもよい。この場合、駆動シャフト７４を工具または手で左方向へ押圧することで、連結プレート６２の軸方向から見て連結ピン８１の全体が開口９７から露出するように開口９７が配置される。
【００６８】
以上のように、実施の形態１にかかる遮断器１は、固定接点１０ａを有する固定子である電源側固定導体１０と、可動接点３０ａを有する可動子３０と、伝達部６０と、電磁操作機構部７０と、連結部８０と、付勢部材である開極ばね９２と、フレーム９１とを備える。伝達部６０は、回転部材の一例である連結プレート６２を有し、連結プレート６２の回転に伴って可動子３０を移動させて固定接点１０ａと可動接点３０ａとの接触および隔離を行う。さらに、電磁操作機構部７０は、駆動シャフト７４を有し、駆動シャフト７４を直線状に移動させる。連結部８０は、伝達部６０と駆動シャフト７４とを連結し、駆動シャフト７４の移動に伴い連結プレート６２を回転させる。開極ばね９２は、連結プレート６２に固定接点１０ａから可動接点３０ａを隔離する回転方向である反時計方向へ力を加える。フレーム９１は、開極ばね９２の力によって連結プレート６２が上下方向に対して左方向および右方向の一方である第１の方向に傾斜した状態において、連結部８０のうち駆動シャフト７４に連結される連結部材の一例である連結ピン８１の少なくとも一部と連結プレート６２の軸方向で対向して連結ピン８１の少なくとも一部を覆う。これにより、遮断器１の投入動作中および引外し動作中において連結ピン８１の脱落を防止することができ、連結ピン８１の脱落によって遮断器１が不動作になることを防止できる。さらに、フレーム９１は、駆動シャフト７４が上下方向に対して第１の方向と逆方向の第２の方向に傾斜された状態で、連結プレート６２の軸方向から見て連結ピン８１の全体が露出する位置に開口９７を備える。これにより、例えば、遮断器１が図６に示す状態である場合に、駆動シャフト７４を右方向へ移動させることで、連結ピン８１の全体を露出させることができ、電磁操作機構部７０などの交換作業を容易にすることができる。
【００６９】
また、フレーム９１は、駆動シャフト７４が上下方向に対して傾斜していない状態において、連結ピン８１の少なくとも一部を覆う。これにより、投入動作中および引外し動作中において、駆動シャフト７４が上下方向に対して傾斜していない場合であっても、連結ピン８１の脱落を防止することができる。
【００７０】
また、伝達部６０は、軸心６５回りに回転するプレート部材の一例である連結プレート６２に回転可能に他端部６１２が連結され、一端部６１１に可動子３０が連結されたアーム部材の一例である操作アーム６１を備える。開極ばね９２は、フレーム９１と連結プレート６２とに架設される。連結部８０は、連結プレート６２と駆動シャフト７４とを連結する。これにより、機械操作機構部９０の開極ばね９２によって駆動シャフト７４を上下方向に交差する方向に力を加えることができ、別途付勢部材を設ける場合に比べ、遮断器１を構成する部品の数が増加することを抑制することができる。
【００７１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７２】
１  遮断器、２  筐体、３  絶縁壁、４，５  空間部、６  壁部、７  載置台、８  貫通孔、９  係止部材、１０  電源側固定導体、１０ａ  固定接点、２０  負荷側固定導体、３０  可動子、３０ａ  可動接点、４０  可撓導体、５０  ホルダー、５１  接圧ばね、５２  可動子ピン、６０  伝達部、６１  操作アーム、６２  連結プレート、６３  リンクピン、６４  シャフト、６５  軸心、６６  係合部、７０  電磁操作機構部、７１  ヨーク、７２  コイル、７３  可動鉄心、７４  駆動シャフト、７５  軸受部、７６  隙間、７７  連結穴、７８  係止ブロック、７９  昇降機構、８０  連結部、８１，８２，９５，９６  連結ピン、８３  連結リンク、８４，８５  連結穴、９０  機械操作機構部、９１  フレーム、９２  開極ばね、９３  トリップバー、９４  ラッチ、９７  開口、１０１，２０１，３０１，４０１，６１１，６２１，９２１  一端部、１０２，２０２，３０２，４０２，６１２，６２２，９２２  他端部。
【図１】
0006661058.tif 000002
【図２】
0006661058.tif 000003
【図３】
0006661058.tif 000004
【図４】
0006661058.tif 000005
【図５】
0006661058.tif 000006
【図６】
0006661058.tif 000007
【図７】
0006661058.tif 000008
【図８】
0006661058.tif 000009
【図９】
0006661058.tif 000010
【図１０】
0006661058.tif 000011
【図１１】
0006661058.tif 000012
【図１２】
0006661058.tif 000013